(57)【要約】【課題】復数のテレビ番組を同時に、電波形式を保持したまま記録再生することができる放送波の記録再生方式を提供すること。【解決手段】記録する複数のテレビチャネルの放送信号をバンドパスフィルタで切り出し、各々を周波数変換して周波数軸上の０Hzから順に周波数軸上に重ならないように配置する。この信号をＡ／Ｄ変換し、ＨＤＤ等に記録する。チャネル情報および時刻情報も同時に記録する。再生する際は、チャネルと時刻を指定することにより、記録されているデータから所望のチャネル・時刻のデータを取り出して、Ｄ／Ａ変換器を介して出力し、これを所望のチャネルの周波数帯に変換する。この信号をテレビで視聴する。波形等化処理など記録データの加工も可能である。簡単な構成で複数チャネルを同時に記録可能である。【選択図】図１
2006094078.tif 000002
【特許請求の範囲】
【請求項１】
放送信号を低域の信号に周波数変換する周波数変換手段と、
低域に周波数変換された放送信号をＡ／Ｄ変換するＡ／Ｄ変換手段と、
Ａ／Ｄ変換されたデータを記憶するデータ記憶手段と
を備えたことを特徴とする信号記録装置。
【請求項２】
更に、前記データ記憶手段から読み出されたデータをＤ／Ａ変換するＤ／Ａ変換手段と、
前記Ｄ／Ａ変換手段の出力信号を所望の周波数に変換する周波数上変換手段を備えたことを特徴とする請求項１に記載の信号記録装置。
【請求項３】
前記周波数変換手段は複数の放送信号をそれぞれが重ならない異なる周波数帯に周波数変換して合成することを特徴とする請求項１に記載の信号記録装置。
【請求項４】
更に、時間情報を出力する時計手段と、Ａ／Ｄ変換されたデータに時計手段から出力される時間情報を挿入する時間情報挿入手段とを備えたことを特徴とする請求項１に記載の信号記録装置。
【請求項５】
更に、前記データ記憶手段からデータを読み出し、信号を補正して前記データ記憶手段に書き込む信号補正手段を備えたことを特徴とする請求項１に記載の信号記録装置。
【請求項６】
放送信号を低域の信号に周波数変換するステップと、
低域に周波数変換された放送信号をＡ／Ｄ変換するステップと、
Ａ／Ｄ変換されたデータを記憶するステップと
を含むことを特徴とする信号記録方法。
【発明の詳細な説明】
【技術分野】
【０００１】
本発明は、信号記録装置および信号記録方法に関するものであり、特に、復数のテレビ放送番組を同時に、電波形式を保持したまま記録再生することができる信号記録装置および信号記録方法に関するものである。
【背景技術】
【０００２】
図１２は、従来の地上ディジタル放送の受信機の構成とコンテンツの記録再生方式を示すブロック図である。受信機は電波をアンテナで受信し、所望のチャネルの信号を低周波帯の信号に変換する。この信号は地上ディジタル放送の場合は直交周波数多重（OFDM）変調されているので、これを復調してMPEG2で符号化されている信号（ベースバンド信号）に戻す。さらに、この符号化されている信号を復号化（デコード）し、映像や音声などのアナログ信号に戻して、テレビ番組（コンテンツ）を見る。
【０００３】
コンテンツの記録再生方式には大別して２つの方法がある。第一の方法は、従来からある磁気テープによる記録である。これは復号化された映像や音声のアナログ信号をアナログ信号として記録する。同じアナログ信号をディジタル化してDVDやハードディスク装置（以下ＨＤＤとも記す）に記録する方法もある。第２の方法は、OFDMの復調は行うが、MPEG-2で符号化されたディジタル信号のまま例えばIEEE1394バスを介してＨＤＤや磁気テープなどにディジタル記録する方法である。画質的な意味では、第２の方法がディジタル放送の番組記録には最も優れている。
【０００４】
例えば、下記の文献には、チューナから出力されるアナログのテレビジョン信号を信号処理回路によってディジタル化し、さらに圧縮伸長回路によってＭＰＥＧ画像データに圧縮した後、ハードディスクに記録する第一の方法に関する装置が開示されている。
【特許文献１】特開２００３−１７４６１３号公報
【発明の開示】
【発明が解決しようとする課題】
【０００５】
上記した従来の記録再生方式は、目的とする番組を記録し、この記録データを用いて編集等を行って希望のビデオライブラリーを作成し、長期保存する目的には適している。一方、過去１日程度に放映され、見逃した番組を、後になって見たり記録したい場合には、過去の一定時間の全ての放送チャネルについて連続的に記録が残っていることが求められる。
【０００６】
しかし、従来の記録再生方式では、そのような機能はない。そして、このような機能を図１２に示した各々の記録再生装置に付加することは原理的には可能であるが、装置の構成が複雑になり、回路および装置規模が非常に大きくなってしまうという問題点があった。
【０００７】
また、従来の記録再生装置は、受信／復調されたコンテンツを記録・再生するシステムであるため、映像や音声の一部に不良箇所があった場合でも、それを修復する機能が無いという問題点もあった。
【０００８】
本発明は、上記した課題を解決し、復数のテレビ番組を同時に、電波形式を保持したまま記録再生することができるディジタル放送波の信号記録装置および信号記録方法を提供することを目的とする。
【課題を解決するための手段】
【０００９】
本発明の信号記録装置は、放送信号を低域の信号に周波数変換する周波数変換手段と、低域に周波数変換された放送信号をＡ／Ｄ変換するＡ／Ｄ変換手段と、Ａ／Ｄ変換されたデータを記憶するデータ記憶手段とを備えたことを主要な特徴とする。
【００１０】
また、上記した信号記録装置において、更に、前記データ記憶手段から読み出されたデータをＤ／Ａ変換するＤ／Ａ変換手段と、前記Ｄ／Ａ変換手段の出力信号を所望の周波数に変換する周波数上変換手段を備えていてもよい。
【００１１】
また、上記した信号記録装置において、前記周波数変換手段は複数の放送信号をそれぞれが重ならない異なる周波数帯に周波数変換して合成するようにしてもよい。
【００１２】
また、上記した信号記録装置において、更に、時間情報を出力する時計手段と、Ａ／Ｄ変換されたデータに時計手段から出力される時間情報を挿入する時間情報挿入手段とを備えていてもよい。
【００１３】
また、上記した信号記録装置において、更に、前記データ記憶手段からデータを読み出し、信号を補正して前記データ記憶手段に書き込む信号補正手段を備えていてもよい。
【００１４】
本発明の信号記録方法は、放送信号を低域の信号に周波数変換するステップと、低域に周波数変換された放送信号をＡ／Ｄ変換するステップと、Ａ／Ｄ変換されたデータを記憶するステップとを含むことを主要な特徴とする。
【発明の効果】
【００１５】
本発明は上記のような特徴によって、非常に簡単な回路構成で複数チャネルの放送信号の一括記録が可能である。そして、過去の一定の期間のテレビ番組内容が丸ごと記録されているので、リアルタイムに視聴する場合と同様の操作によって見のがした番組を容易に見ることができ、記録再生装置の利便性が大幅に向上するという効果がある。
【００１６】
また、市販の記録・再生装置を用いて、ある番組を編集して残したい場合に、その番組の素材が複数回再生できる形で記録されているため、これを繰り返して再生することにより、ディジタルコンテンツの編集作業が著しく容易になるという効果もある。
【００１７】
また、記録されている放送信号に例えば波形等化処理等の加工を施して再度記録することが可能であるので、リアルタイムにテレビ受信機で見るよりも画質のよりよい信号を再生できる可能性があるという効果もある。
【発明を実施するための最良の形態】
【００１８】
図１は、本発明の信号記録装置の機能を示す機能ブロック図である。分配手段２０はアンテナ１０からの信号を２つに分配する。なお、この分配手段２０は必須の構成要件ではなく、アンテナ１０を直接周波数変換多重化手段２１に接続してもよい。
【００１９】
周波数変換多重化手段２１は、詳細は後述するが、所望のテレビ放送チャネルの信号を低域の信号に周波数変換する。複数の放送信号をそれぞれ異なる周波数帯に周波数変換して合成するようにしてもよい。この場合には、周波数の低い方（０Ｈｚ）から余分な空きが生じないように詰めていき、なるべく全体の周波数帯域の上限を低くする。
【００２０】
Ａ／Ｄ変換手段２２は、周知のアナログ／ディジタル変換を行う。なお、入力された信号はサンプリング周波数ｆｓの１／２以下の帯域のみを通すローパスフィルタを経てＡ／Ｄ変換される。
【００２１】
時間情報挿入手段２３は、時計手段２９から出力される時間情報を例えば１秒〜１分程度の所定の周期で記録するデータに挿入する。挿入する時間情報は時刻情報であってもよいし、記録開始からの経過時間情報であってもよい。なお、この時間情報挿入手段２３は、本発明に必須の構成要件ではなく、Ａ／Ｄ変換手段２２の出力データをそのまま記録してもよい。
【００２２】
データ記憶手段２４としては、メディアの種類は磁気ディスク、光ディスク、磁気テープ、半導体メモリなど任意であるが、なるべく大容量のものが好ましい。一例として例えばＨＤＤを使用可能である。Ｄ／Ａ変換手段２５は周知のディジタル／アナログ変換を行う。周波数上変換手段２６は、詳細は後述するが、低域のアナログ信号をテレビ受信機１２で受信可能な所望の放送周波数へ周波数変換する。
【００２３】
合成手段２７は周波数上変換手段２６の出力信号と分配手段２０の出力信号とを合成して出力する。なお、この合成手段２７は本発明に必須の構成要件ではなく、直接周波数上変換手段２６の出力を直接テレビ受信機１２に接続してもよい。
【００２４】
時計手段２９は制御手段２８に時刻情報を提供し、制御手段２８は例えば蓄積プログラム制御によって装置内の各手段を制御し、記録、再生あるいは信号補正動作を実行する。信号補正手段３０は、詳細は後述するが、データ記憶手段２４に記憶されているデータを読み出してスペクトラム等化処理などの信号加工処理を施し、再度記録する。
【００２５】
なお、データ記憶手段２４に記憶された記録データをコピーすることも可能である。更に、記録データをＤ／Ａ変換せずに、ディジタル処理によってチャネル選択（ディジタルフィルタ処理）、OFDM復調、MPEG-2復号等を行うことも可能である。これらの処理はリアルタイムで実行する必要がないので、低速のＣＰＵでも実行可能である。記録を実行した後に必要な番組データのみをMPEG-2データ等に変換して再度記録することにより、記録データ量が削減できる。以下実施例について説明する。
【実施例１】
【００２６】
図２は、本発明の信号記録装置の実施例のハードウェア構成例を示すブロック図である。なお、実施例としては、一例として地上波ディジタルテレビ放送の放送信号を記録再生する装置について説明するが、本発明の装置および方法は、変調方式やコンテンツ、伝送帯域等に関わらず、任意の放送／通信／再生信号の記録再生に適応可能である。公知の分配回路４０はアンテナ１０からの信号を２つに分配する。周波数変換多重化手段４１は、所望のテレビ放送チャネルの信号を低域の信号に周波数変換する。
【００２７】
図３は、周波数変換多重化回路４１の構成例を示すブロック図である。分配器６０は分配回路４０の出力信号を必要であれば所定のレベルまで増幅した後、更に複数のバンドバスフィルタ（以下ＢＰＦと記す）６１に分配する。複数のＢＰＦ６１は例えばＳＡＷフィルタからなり、それぞれが例えば地上波ディジタル放送チャネルの内の１つのチャネルの放送信号帯域のみを通過させる。
【００２８】
スイッチ回路６２は電子的スイッチング素子等によって構成され、外部からの制御信号に基づき、任意のＢＰＦ６１と周波数変換回路６３の内の任意の１つとを接続する。図３においては、チャネルＡ、Ｃ、Ｅと対応するＢＰＦ６１がそれぞれ周波数変換回路６３と接続されている。
【００２９】
複数の周波数変換回路６３は、ＢＰＦ６１の出力信号と局発信号発生回路６５から出力される局発信号とを乗算して周波数の差信号を出力する。周波数変換回路６３としては例えばリング変調器など公知の任意の周波数変換回路を採用可能である。
【００３０】
局発信号発生回路６５は例えば公知のＰＬＬ回路等を使用した周波数シンセサイザ回路からなり、外部からの制御に基づき複数の所望の局発信号ｆLOを発生する。合成回路は例えば抵抗加算回路からなり、複数の周波数変換回路６３からの出力信号を加算合成する。
【００３１】
本発明においては、通常のスーパーヘテロダイン方式を採用することも考えられる。しかし、通常のスーパーヘテロダインでは信号帯域幅より非常に高い周波数の中間周波数帯に変換するのでイメージ信号との分離が容易であるが、本発明においては、周波数変換後の（中間）周波数が信号帯域幅より小さい程度であるので、周波数変換回路６３の前段でＢＰＦ６１によって不要波を減衰させておかないと、変換後の０Ｈｚ以下の信号が折り返して干渉を与え、正常に受信できなくなる。
【００３２】
図５は、受信チャネルの低周波数帯への周波数多重を示す説明図である。この例は、チャネルＡ， Ｃ， Ｅの３つのチャネルを同時に記録する例である。周波数軸上に並ぶ各チャネルのテレビ信号のうち、希望するチャネルと対応するＢＰＦ（ここではBPF-A, BPF-C, BPF-E）を通過させ、周波数変換回路６３によって低周波数帯に周波数変換する。
【００３３】
希望するチャネルの中心周波数と局発信号の周波数ｆLOとの差が図５のｆ1、ｆ2、ｆ3となるように周波数変換回路６３に入る局発信号の周波数ｆLOを制御する。低周波数帯での周波数軸上の配置は、周波数の低い方から相互に影響が出ない範囲で密に配置する。チャネル周波数間隔が6MHz の地上波ディジタル放送システムでは、例えば6.5MHz間隔に配置すれば良い。このようにすると全体の帯域幅Ｗは３チャネル分合わせて約20MHzになる。
【００３４】
図６は、放送周波数が連続する複数のチャネルをまとめて記録する例を示す説明図である。地上波ディジタル放送の場合には、複数の放送チャネルが隙間無く密に配置されている。この場合には、図６に示すように、複数の放送チャネル全体のみを通過させるＢＰＦ（Ａ−Ｄ）６１を使用し、この出力信号を周波数変換することにより、記録装置の回路構成がより簡単となる。この場合には、１つの周波数変換回路６３によって周波数変換可能であるので、ＢＰＦ６１、周波数変換回路６３、局発信号発生回路がそれぞれ１つあればよく、分配回路、スイッチ回路、合成回路等は不要となる。
【００３５】
現時点におけるＨＤＤの容量は数百ＧＢ程度であるが、この値は時代と共に大きくなって、数年先にはＨＤＤの容量は数ＴＢを期待することができる。後者の性能であれば、図６のように、数チャネルの信号全体をまとめた帯域を持つＢＰＦ一つにより取り出し、一括して周波数変換して、長時間記録することができる。
【００３６】
図２に戻って、Ａ／Ｄ変換回路４２は、標本化定理が満たされる信号帯域Ｗの２倍（２Ｗ）以上のサンプリング周波数ｆｓでサンプリングして、アナログ信号をディジタル信号に変換する。Ａ／Ｄ変換器としては、サンプリング周波数が数十〜数百ＭＨｚ程度、変換精度は８〜１２ビット程度必要である。なお、このようなＡ／Ｄ変換器は市販されている。入力された信号はサンプリング周波数ｆｓの１／２以下の帯域のみを通すローパスフィルタを経てＡ／Ｄ変換される。
【００３７】
ＡＤＣインターフェイス（Ｉ／Ｆ）回路５４は、ＣＰＵの制御に基づき、Ａ／Ｄ変換回路４２からのデータの入力およびＤ／Ａ変換回路４３へのデータの出力を実行する。制御用インターフェイス回路５５は、ＣＰＵの制御に基づき、周波数変換多重化回路４１、Ａ／Ｄ変換回路４２、Ｄ／Ａ変換回路４３、周波数上変換回路４４を制御する。
【００３８】
ＣＰＵ、ＲＯＭ、ＲＡＭ５０は制御手段２８に相当し、ＣＰＵが、ＲＯＭに記憶されている後述する処理のプログラムを実行することにより、記録装置全体を制御する。
【００３９】
ハードディスク装置５１はなるべく大容量のものが好ましい。例えば放送信号の帯域が6MHzであった場合、Ａ／Ｄ変換器のサンプリング周波数ｆｓを15MHzとし、精度を８ビット（１バイト）とすると、毎秒１５ＭＢのデータが発生する。従って、例えばこの信号を１日に３時間×４チャネル記録するためには、１５ＭＢ×３６００×３×４＝６４８ＧＢあればよく、現在入手可能なＨＤＤ数個を使用して実現可能である。なお、データ圧縮技術を使用することによって、記憶データ量を削減して記録時間を延ばすこともできる。
【００４０】
パネル、リモコン回路５２は液晶表示装置やスイッチ、キーボード、リモコン信号送受信回路等を備え、使用者の操作情報を入力すると共に装置の状態やメッセージ等を表示する。時計回路５３は、水晶発振器等を内蔵し、時刻情報を提供する。Ｄ／Ａ変換回路４３は周知のディジタル／アナログ変換を行う。
【００４１】
図４は、周波数上変換回路４４の構成例を示すブロック図である。周波数上変換回路４４は低域のアナログ信号をテレビ受信機１２で受信可能な所望の放送周波数へ周波数変換する。周波数変換回路６７および局発信号発生回路６８としては、図３の周波数変換回路６３および局発信号発生回路６５と同一の回路を使用可能である。合成回路４５は周波数上変換回路４４の出力信号と分配回路４０の出力信号とを合成して出力する。
【００４２】
図７は、再生時に希望のチャネル信号を取り出すための周波数変換を示す説明図である。チャネルＡ、Ｂ、Ｃが一つのデータとして記録されており、これからチャネルＢの番組を再生したいとする。どの周波数帯にどのチャネルが記録されているかという情報は、記録データ中かあるいは別ファイルとして記憶されている。また、テレビ受信機では空きチャネルｘ（その中心周波数はfR）で、見ることが出来るように設定されているとする。
【００４３】
この場合、チャネルＢの再生を指定すると、局発信号の周波数fLOが fR - f2になる。これにより、テレビのチャネルｘでチャネルＢの番組を見ることができる。このように、チャネルの設定は、局発信号の発信周波数を変えることで対処できる。なお、図７の状態でチャネルｘの上下のチャネルも空いている場合には例えばテレビのチャネルを上下に変更すればチャネルＡあるいはチャネルＣを見ることもできる。
【００４４】
また、図６に示したように、複数のチャネルを一括して記録した場合には、特定のチャネルの再生を指定する代わりに、複数のチャネルを元の放送周波数帯に変換することにより、テレビでリアルタイムに視聴するのと同様に所望のチャネルを選択して見ることが可能である。この場合には、周波数上変換回路４４の出力信号のみがテレビ受信機１２へ入力されるように、合成回路４５の代わりにスイッチ回路を使用する。
【００４５】
図８は、Ａ／Ｄ変換データへの時刻情報(タイムコード)の付加を示す説明図である。再生のためには、希望のチャネルと指定する時刻のデータを瞬時に取り出すための仕組みが必要になる。そこで、セクター化されたデータのヘッダに時間情報を記録し、これを検索することで、任意の時刻からの再生開始を実現する。
【００４６】
Ａ／Ｄ変換された信号７０を適当な時間間隔でブロック化し、その信号データブロック７２毎にヘッダ情報として時間情報であるタイムコード７３を付加し、この時間情報が付加されたデータ７２を一つのセクタとして、これをＨＤＤに連続的に記録する。ブロック化の単位時間は例えば１秒〜１分程度であってもよい。。再生時にはこの時間情報が取り外されたディジタルデータ７４からＤ／Ａ変換される。
【００４７】
なお、チャネル情報は、低周波数帯に変換された後の各チャネル信号の中心周波数（図５のf1, f2, f3）あるいは周波数軸上の順序情報をタイムコードと一緒に、あるいは別途記録しておく。これにより、再生時のチャネル指定を可能とする。
【００４８】
図１１は、本発明の信号記録装置の記録および再生処理の内容を示すフローチャートである。なお、信号記録装置には毎日の記録する時間帯および記録するチャネルの情報が予め設定されているものとする。図１１（ａ）の記録処理において、Ｓ１０においては、記録開始時刻が到来するまで待つ。Ｓ１１においては、チャネルを選択する。即ち、記録すべきチャネルと対応するＢＰＦ６１を周波数変換回路６３に接続し、局発信号発生回路６５に局発信号周波数データを設定する。
【００４９】
Ｓ１２においては、日時情報および記録するチャネルの配置情報を生成し、データに付加するヘッダ情報中に書き込むか、別途ファイルとして保存する。Ｓ１３においては、記録開始制御を行う。即ち、Ａ／Ｄ変換器に所定のサンプリング周期でＡ／Ｄ変換を行うように設定し、変換されたデータをＲＡＭに読み込み、所定時間のデータが溜まるとタイムコードを付加してＨＤＤに書き込む処理を繰り返すように設定する。
【００５０】
Ｓ１４においては、所定時間が経過したか否かが判定され、判定結果が否定の場合にはＳ１６に移行するが、肯定の場合にはＳ１５に移行する。Ｓ１５においては、時計回路から例えば時刻情報を取得し、記録データに時刻情報を含むタイムコードを挿入する。Ｓ１６においては、終了時刻になったか否かが判定され、判定結果が否定の場合にはＳ１４に移行するが、肯定の場合にはＳ１７に移行する。Ｓ１７においては、記録終了制御を行う。
【００５１】
図１１（ｂ）の再生処理において、Ｓ２０においては、パネルあるいはリモコンを用いた使用者の再生操作に基づき、使用者の希望する再生時間帯およびチャネルを入力する。Ｓ２１においては、チャネル設定を行う。即ち、記録されている所望のチャネルの信号がテレビ受信機の所望のチャネルの周波数に変換されるように周波数上変換回路４４を設定する。
【００５２】
Ｓ２２においては、指定の日時から再生を開始する。即ち、記録データ中のタイムコードを検索して、所望の再生開始時刻と対応するセクタのデータから読み出しを開始し、所定のサンプリング周期ごとにＤ／Ａ変換するようにＤ／Ａ変換回路４３を制御する。Ｓ２３においては、所定の時間が経過するまで再生処理を続け、Ｓ２４においては、再生終了処理を行う。
【００５３】
次に、記録した信号の補正について説明する。本発明の記録装置によれば、受信地点の電波環境が劣悪であることによって本記録装置により記録された信号の品質が劣化している場合、その信号に対して波形整形（等化）等のディジタル信号処理を行い、品質劣化のないように加工して再生できる。
【００５４】
ここで言う加工とは、例えば、受信信号を周波数分析して周波数特性を信号処理により平坦にするようなソフトウェア上での処理を意味する。加工内容は、波形整形の他、特定のチャネル信号の抽出（フィルタリング）、OFDM復調、圧縮信号の伸張あるいは他の圧縮方式への変換など任意であり、ＨＤＤに記録されているので、加工をリアルタイムに処理する必要がなく、低速のＣＰＵでも実行可能である。
【００５５】
図９は、信号補正手段３０の一例である波形整形処理を示すブロック図である。また、図１０は、周波数成分解析による信号品質判定および波形整形結果を示す説明図である。周波数成分解析手段（ＦＦＴ）は、記録データの一部、例えば指定した時間の前後１秒程度を一つのブロックデータとして取り出し、例えば高速フーリエ変換を使用した周波数成分解析を行う。
【００５６】
波形歪み判定手段８１は、例えば反射波等の影響によって周波数特性が一定範囲以上の分散を持つ場合には、電波環境が不良（NG）と判断し、範囲内の分散であれば電波環境は良好（OK）と判断する。図１０(a)はNGと判断される例である。NGと判断された場合は、波形整形手段８２によって、各周波数成分に重みをかけてフラットにする補正演算を行う。図１０(b)は補正演算後のスペクトラム例を示している。データ書込制御手段８３は、ＮＧの場合に元信号を波形整形手段８２によって加工したデータに置き換えて保存する。ここで述べた方法は、あくまで一例であり、記録した信号の品質の良否の判定方法や、否である場合の信号の加工方法は任意である。
【００５７】
以上実施例を説明したが、本発明の信号記録装置には以下のような変形例も考えられる。実施例としては、図２に示すような構成例を開示したが、例えば周知のパソコンに周波数変換機能、Ａ／Ｄ変換、Ｄ／Ａ変換機能等を持つボードを装着することによっても本発明を実施可能である。この場合にはパソコンに具備されているＨＤＤに信号を記録する。
【００５８】
実施例としては、地上波ディジタルテレビ放送の放送信号を記録再生する装置について開示したが、本発明の装置および方法は、変調方式やコンテンツ、伝送帯域等に関わらず、任意の放送／通信／再生信号の記録再生に適応可能であり、例えばアナログ放送信号とデジタル放送信号とが混在していてもよい。
【００５９】
通常のテレビ受信機を改造すること無く、記録・再生するためには、再生信号は放送波の周波数帯に戻さなければいけないが、本発明の記録・再生装置と受信機を一体として設計する場合には、再生した信号を高周波信号に戻さず、低周波あるいは直交検波（IQ分離）されたベースバンド信号のままで、テレビ受信機の入力信号として接続することが可能である。
【００６０】
本発明においては、記録した信号の加工が可能であるので、記録した受信信号を用い、受信信号に所定の劣化を施す等の加工をすることによって、受信劣化が予想される移動体環境での受信特性等の評価に利用することもできる。
実施例としては、１つのＡ／Ｄ変換器で変換する例を開示したが、複数のＡ／Ｄ変換器を使用するか、あるいは１つのＡ／Ｄ変換器を時分割多重処理させて、複数のチャネルの低域信号をそれぞれＡ／Ｄ変換して別データとして記録してもよい。
【図面の簡単な説明】
【００６１】
【図１】本発明の信号記録装置の機能を示す機能ブロック図である。
【図２】本発明の信号記録装置の実施例のハードウェア構成例を示すブロック図である。
【図３】周波数変換多重化回路４１の構成例を示すブロック図である。
【図４】周波数上変換回路４４の構成例を示すブロック図である。
【図５】受信チャネルの低周波数帯への周波数多重を示す説明図である。
【図６】連続する複数のチャネルをまとめて記録する例を示す説明図である。
【図７】再生時の周波数変換を示す説明図である。
【図８】Ａ／Ｄ変換データへの時刻情報の付加を示す説明図である。
【図９】信号補正手段の一例である波形整形処理を示すブロック図である。
【図１０】周波数成分解析による信号品質判定および波形整形結果を示す説明図である。
【図１１】記録および再生処理の内容を示すフローチャートである。
【図１２】従来の受信機の構成と記録再生方式を示すブロック図である。
【符号の説明】
【００６２】
１０…アンテナ
１１…信号記録装置
１２…テレビ受信機
２０…分配手段
２１…周波数変換多重化手段
２２…Ａ／Ｄ変換手段
２３…時間情報挿入手段
２４…データ記憶手段
２５…Ｄ／Ａ変換手段
２６…周波数上変換手段
２７…合成手段
２８…制御手段
２９…時計手段
３０…信号補正手段
【図１】
2006094078.tif 000003
【図２】
2006094078.tif 000004
【図３】
2006094078.tif 000005
【図４】
2006094078.tif 000006
【図５】
2006094078.tif 000007
【図６】
2006094078.tif 000008
【図７】
2006094078.tif 000009
【図８】
2006094078.tif 000010
【図９】
2006094078.tif 000011
【図１０】
2006094078.tif 000012
【図１１】
2006094078.tif 000013
【図１２】
2006094078.tif 000014